(57)【要約】【課題】押圧つまみをケースのつまみ収納部の上面側から挿入して取り付けることができ、取り付けた押圧つまみがケースから抜けない押圧式電子部品を提供すること。【解決手段】外装ケース１５０のつまみ収納部１５１内に押圧つまみ２００を収納し、押圧つまみ２００の下部に第１のスイッチ基板７０を配置する。第１のスイッチ基板７０上につまみ保持部材１１０を設置し、押圧つまみ２００のアーム２０７に設けた係合部２０９をつまみ保持部材１１０に設けた被係合部１１５にスナップイン係合させることでつまみ保持部材１１０に対して押圧つまみ２００を上下動自在に保持する。外装ケース１５０の内周面に被係合部１１５から係合部２０９が離脱する方向へアーム２０７が撓むことを規制するストッパ部１５７を設ける。外装ケース１５０の内周面のストッパ部１５７の下部に、スナップイン係合時に撓むアーム２０７を導入するアーム導入スペース１６１を設ける。【選択図】図３
2011210403.tif 000002
【特許請求の範囲】
【請求項１】
ケースに設けたつまみ収納部内に上下動自在に押圧つまみを収納するとともに、前記押圧つまみの下部にこの押圧つまみによってオンオフ操作されるスイッチを設けたスイッチ基板を配置してなる押圧式電子部品において、
前記スイッチ基板上につまみ保持部材を設置し、
前記押圧つまみから前記スイッチ基板側に伸ばした弾性を有するアームに設けた係合部を、前記つまみ保持部材の外周面側に設けた被係合部にスナップイン係合させることでつまみ保持部材に対して押圧つまみを上下動自在に保持し、
さらに前記ケースのつまみ収納部の内周面に、前記被係合部から前記係合部が離脱する方向へのアームの移動を規制するストッパ部を設けたことを特徴とする押圧式電子部品。
【請求項２】
請求項１に記載の押圧式電子部品であって、
前記ケースの内周面の前記ストッパ部の下部には、前記つまみ保持部材の被係合部に対して前記ケースのストッパ部を上方に移動させた状態で、前記被係合部に前記係合部をスナップイン係合させる際につまみ保持部材の外周面から離れる方向に撓むアームを導入させるアーム導入スペースが形成されていることを特徴とする押圧式電子部品。
【請求項３】
請求項２に記載の押圧式電子部品であって、
前記スイッチ基板を前記ケースに対して上下動自在に設置し、
さらに前記スイッチ基板の下側にこのスイッチ基板を上下動することによってオンオフ操作される第２のスイッチを設けた第２のスイッチ基板を設置したことを特徴とする押圧式電子部品。
【請求項４】
請求項３に記載の押圧式電子部品であって、
前記スイッチ基板を前記つまみ保持部材と一体化するとともに、
前記第２のスイッチ基板を前記ケースと一体化したことを特徴とする押圧式電子部品。
【発明の詳細な説明】
【技術分野】
【０００１】
本発明は、押圧つまみを押圧することでスイッチを動作させる構造の押圧式電子部品に関するものである。
【背景技術】
【０００２】
従来、押圧式電子部品の中には、例えば特許文献１の図２に示すように、押圧つまみ（キートップ）（１８０）を押圧することで１段目のスイッチ（第２スイッチ）（１２０）がオンし、さらに押圧つまみ（１８０）を押圧することで２段目のスイッチ（第１スイッチ）（３０）もオンする構造の押圧式電子部品（２段スイッチ）（１−１）がある。
【０００３】
ところで上記押圧式電子部品（１−１）において、押圧つまみ（１８０）のケース（キートップ取付体）（１５０）への取り付けは、押圧つまみ（１８０）をケース（１５０）の下面側から挿入してケース（１５０）のつまみ収納部（キートップ挿通孔）（１５３）から露出することによって行われていた。このとき押圧つまみ（１８０）の外周から半径方向外方に向けて突出するつば部（１８５）をケース（１５０）の下面に当接させることで押圧つまみ（１８０）のケース（１５０）からの抜けが防止される。
【先行技術文献】
【特許文献】
【０００４】
【特許文献１】特開２０１０−９９３６号公報
【発明の概要】
【発明が解決しようとする課題】
【０００５】
しかしながら電子機器によっては、例えば組み立ての都合上、押圧つまみをケースのつまみ収納部の上面側から挿入することによって取り付けたいような場合が生じるが、上記従来例においてはつば部があるため、そのような取付方法を用いることができなかった。またケースのつまみ収納部を設ける場所やつまみ収納部の形状によっては、押圧つまみにつば部を設けることができない場合もあった。
【０００６】
一方押圧つまみをケースのつまみ収納部の上面側から挿入して取り付ける方法として、上記つば部を設けず、押圧つまみからケース側に向けて弾性を有するアームを突出して設け、この押圧つまみをケースの上側からつまみ収納部に挿入する際に、このアームも挿入し、このアームに設けた例えば孔からなる係止部に、ケースのつまみ収納部内に設けた例えば爪からなる係止部をスナップイン係合し、これによって押圧つまみの抜けを防止する構造が考えられる。
【０００７】
しかしながらスナップイン係合を用いた場合、その係合状態が強固とは言えず、例えば取り付けた押圧つまみをケースから引き抜こうとした場合、比較的容易に前記スナップイン係合が外れて押圧つまみが脱落してしまう恐れがあった。
【０００８】
本発明は上述の点に鑑みてなされたものでありその目的は、押圧つまみをケースのつまみ収納部の上面側から挿入することによって取り付けることができ、同時に取り付けた押圧つまみがケースから抜けることのない押圧式電子部品を提供することにある。
【課題を解決するための手段】
【０００９】
本願請求項１に記載の発明は、ケースに設けたつまみ収納部内に上下動自在に押圧つまみを収納するとともに、前記押圧つまみの下部にこの押圧つまみによってオンオフ操作されるスイッチを設けたスイッチ基板を配置してなる押圧式電子部品において、前記スイッチ基板上につまみ保持部材を設置し、前記押圧つまみから前記スイッチ基板側に伸ばした弾性を有するアームに設けた係合部を、前記つまみ保持部材の外周面側に設けた被係合部にスナップイン係合させることでつまみ保持部材に対して押圧つまみを上下動自在に保持し、さらに前記ケースのつまみ収納部の内周面に、前記被係合部から前記係合部が離脱する方向へのアームの移動を規制するストッパ部を設けたことを特徴とする押圧式電子部品にある。
【００１０】
本願請求項２に記載の発明は、請求項１に記載の押圧式電子部品であって、前記ケースの内周面の前記ストッパ部の下部には、前記つまみ保持部材の被係合部に対して前記ケースのストッパ部を上方に移動させた状態で、前記被係合部に前記係合部をスナップイン係合させる際につまみ保持部材の外周面から離れる方向に撓むアームを導入させるアーム導入スペースが形成されていることを特徴とする押圧式電子部品にある。
【００１１】
本願請求項３に記載の発明は、請求項２に記載の押圧式電子部品であって、前記スイッチ基板を前記ケースに対して上下動自在に設置し、さらに前記スイッチ基板の下側にこのスイッチ基板を上下動することによってオンオフ操作される第２のスイッチを設けた第２のスイッチ基板を設置したことを特徴とする押圧式電子部品にある。
【００１２】
本願請求項４に記載の発明は、請求項３に記載の押圧式電子部品であって、前記スイッチ基板を前記つまみ保持部材と一体化するとともに、前記第２のスイッチ基板を前記ケースと一体化したことを特徴とする押圧式電子部品にある。
【発明の効果】
【００１３】
請求項１に記載の発明によれば、押圧つまみをケースのつまみ収納部の上面側から挿入してスナップイン係合することによって容易に押圧つまみをケースに装着することができ、同時にケースに設けたストッパ部によって押圧つまみのケースからの脱落を確実に防止できる。
【００１４】
請求項２に記載の発明によれば、ケースのストッパ部の下部にアーム導入スペースを設けることによって、請求項１に記載の構造の押圧式電子部品の組み立てを容易に行うことが可能になる。
【００１５】
請求項３に記載の発明によれば、押圧式電子部品を２段押圧式電子部品とすることができる。
【００１６】
請求項４に記載の発明によれば、押圧つまみをスナップイン係合することによって生じるプリロードが第２のスイッチに印加されることがなく、第２のスイッチのオンオフ動作を確実に行わせることができる。特に第２のスイッチが第１のスイッチに比べて小さい力でオンオフ動作する構造のスイッチの場合に有効である。
【図面の簡単な説明】
【００１７】
【図１】２段押圧式電子部品１の斜視図である。
【図２】２段押圧式電子部品１を別の角度から見た斜視図である。
【図３】２段押圧式電子部品１の概略断面図である。
【図４】２段押圧式電子部品１の分解斜視図である。
【図５】２段押圧式電子部品１を別の角度から見た分解斜視図である。
【図６】外装ケース１５０の概略断面図である。
【図７】２段押圧式電子部品１の組立方法説明図である。
【発明を実施するための形態】
【００１８】
以下、本発明の実施形態を図面を参照して詳細に説明する。図１は本発明の１実施形態にかかる押圧式電子部品（以下「２段押圧式電子部品」という）１の斜視図、図２は２段押圧式電子部品１を別の角度から見た斜視図、図３は２段押圧式電子部品１の概略断面図（図１のＡ−Ａ概略断面図）、図４は２段押圧式電子部品１の分解斜視図、図５は２段押圧式電子部品１を別の角度から見た分解斜視図である。なお以下の説明において、「上」とはスイッチ基板（以下「第１のスイッチ基板」という）７０から押圧つまみ２００を見る方向をいい、「下」とはその反対方向をいうものとする。
【００１９】
図４，図５に示すように２段押圧式電子部品１は、第２の基板取付部材（以下「底板」という）１０上に、第２のスイッチ基板３０と、第１の基板取付部材（以下「基板取付兼押圧板」という）５０と、第１のスイッチ基板７０と、可動接点部材９０と、つまみ保持部材１１０と、ケース（以下「外装ケース」という）１５０と、押圧つまみ２００とを設置して構成されている。
【００２０】
底板１０は合成樹脂の成形品であり、略長方形の板状に成形してなる基板載置部１１と、基板載置部１１の対向する両端辺を上方向に向けて屈曲してなる側壁部１３と、側壁部１３の両上端辺を外方向に向けて屈曲して水平にしてなる取付部１５とを具備して構成されている。基板載置部１１上には、その所定の２か所から突出する小突起状の取付突部１７と、側壁部１３近傍部分から突出する小突起状のストッパー部１９とが設けられている。取付部１５にはそれぞれ上下に貫通する小孔からなる取付孔２１が設けられている。
【００２１】
第２のスイッチ基板３０は、可撓性を有する２枚の合成樹脂フイルム３１，３３を重ね合わせ、両合成樹脂フイルム３１，３３の対向面に設けた図示しない一対の接点パターンを所定の隙間を介して対向させてなる第２のスイッチＳ２を形成して構成されている。第２のスイッチ基板３０の前記底板１０の各取付突部１７に対向する位置には、両合成樹脂フイルム３１，３３を貫通してこれら取付突部１７を挿通する小孔からなる取付孔３７が形成されている。一方の合成樹脂フイルム３３には第２のスイッチ基板３０上の回路パターンを外部に引き出す帯状に突出する引出部３９が接続され、他方の合成樹脂フイルム３１には下記する第１のスイッチ基板７０に連結させる連結部４１が接続されている。
【００２２】
基板取付兼押圧板５０は合成樹脂を略矩形状に成形して構成されており、その中央下面に小突起状に突出する押圧部５１を設け、押圧部５１の両側の所定位置に小孔からなる取付孔５３を設けている。
【００２３】
第１のスイッチ基板７０は可撓性を有する１枚の略矩形状の合成樹脂フイルム７１の上面に一対の接点パターンからなるスイッチ接点７３を設け、前記基板取付兼押圧板５０の各取付孔５３に対向する位置に取付孔５３と略同一形状寸法の小孔からなる取付孔７５を設け、それらの左右両外側位置に矩形状の開口７７を形成することで細帯状の連結部７９を設けるとともにさらに開口７７の左右両外側部分を取付部８１とし、各取付部８１中の前記底板１０の取付孔２１に対向する位置に取付孔２１と略同一形状寸法の小孔からなる取付孔８３を設けて構成されている。合成樹脂フイルム７１の外周辺には連結部４１が接続されており、図４，図５では切断して示しているが、実際には前記第２のスイッチ基板３０に連結されている。つまり第１，第２のスイッチ基板７０，３０を構成する合成樹脂フイルム７１，３１，３３は１枚の合成樹脂フイルムによって構成されている。スイッチ接点７３の出力は、各合成樹脂フイルム７１，３１，３３上に形成した図示しない回路パターンによって前記引出部３９に引き出される。
【００２４】
可動接点部材９０は、絶縁性の弾性ゴム（例えばシリコンゴム）を略円錐形状であってその底面中央に凹部９１を設けて構成されている。可動接点部材９０の中央にはその上面から突出すると同時に凹部９１内にも突出する略柱形状の押圧部９３が設けられ、その底面には導電層９５が形成されている。押圧部９３の上面には円形の小穴からなる係止部９５が設けられている。
【００２５】
つまみ保持部材１１０は合成樹脂の一体成形品であり、中央に円形に貫通する可動接点部材収納部１１１を設け、その左右両側に上下方向に向かう内側向きの溝からなるつまみガイド部１１３を設け、両つまみガイド部１１３のさらに左右両外周面に一対の被係合部１１５を設け、その下面の前記第１のスイッチ基板７０の各取付孔７５に対向する位置にこれら取付孔７５に挿入される寸法形状の小突起状の取付突起１１７を設けて構成されている。
【００２６】
可動接点部材収納部１１１には図３に示すように、その上面側の内周面に半径方向内側に向かって突出するつば状の可動接点部材押え部１１９を設け、これによって可動接点部材９０の外周部分の上面を押えてその上方向への抜けを防止する構成となっている。前記つまみガイド部１１３と被係合部１１５は、可動接点部材収納部１１１の両側に設置した上下方向に延びる横断面コ字状の柱部１２１に形成されており、両柱部１２１の対向している内側の凹状になっている部分をつまみガイド部１１３、外側の側面の上部において爪状の突起とした部分を被係合部１１５としている。被係合部１１５は上から下に向かって突出高さを高くしていくように傾斜する傾斜面を有する略三角形状の爪である。
【００２７】
図６は外装ケース１５０の概略断面図（図４のＢ−Ｂ概略断面図）である。同図及び図４、図５に示すように外装ケース１５０は合成樹脂を略矩形箱型に成形して構成されており、その中央には上下に貫通する略矩形状のつまみ収納部１５１が形成されている。外装ケース１５０の下面の左右両側位置からは、下方向に向かって一対の小突起からなる取付突起１５３が突出している。各取付突起１５３は前記底板１０の一対の取付孔２１に挿入される位置及び寸法に形成されている。つまみ収納部１５１の内周側壁の高さ方向の中央より少し上の位置には、内周側壁を水平方向に略コ字状に囲むように突出する凸条１５５が形成され、コ字状に折れ曲がった凸条１５５の内の平行になっている両側の対向する部分（つまみ収納部１５１の内周側壁の短い側の対向する辺に設けた部分）をストッパ部１５７としている。ストッパ部１５７の下側は空間となっており、２段押圧式電子部品１の組立時に押圧つまみ２００の下記するアーム２０７を一旦導入するアーム導入スペース１６１となっている。一方つまみ収納部１５１のストッパ部１５７を設けていない側の対向する両内周側壁には、一対ずつ上下方向に向かって延びるつまみ保持部材摺接突起１５９が設けられている。
【００２８】
押圧つまみ２００は合成樹脂製であり、上面から一方の側面に向けてＬ字状に屈曲してなる上面部２０１と、上面部２０１の下面の略中央から下方向に向かって突出する押圧部２０３と、押圧部２０３の左右両側から押圧つまみ２００の長手方向に向かって延びる一対の平板状のガイド部２０５と、両ガイド部２０５のさらに左右外側の位置において上面部２０１から下方向に向かって突出する一対のアーム２０７とを具備して構成されている。
【００２９】
上面部２０１は前記外装ケース１５０の上面から側面に至ってつまみ収納部１５１の上面開口を略塞ぐＬ字形状に形成されている。押圧部２０３は前記可動接点部材９０の係止部９５に挿入される寸法形状に形成されている。ガイド部２０５は前記つまみ保持部材１１０のつまみガイド部１１３に上下動自在にぴったり挿入される寸法形状に形成されている。アーム２０７は薄板状であってその厚み方向に弾性（可撓性）を有していて、その面内に矩形状に貫通する開口からなる係合部２０９を設けている。係合部２０９の幅寸法と被係合部１１５の幅寸法はほぼ同一であるが、係合部２０９の上下方向の長さ寸法は被係合部１１５の上下方向の長さ寸法よりも長く形成されている。
【００３０】
２段押圧式電子部品１を組み立てるには、まず基板取付兼押圧板５０の上に第１のスイッチ基板７０と可動接点部材９０とつまみ保持部材１１０とを載置する。このとき可動接点部材９０はつまみ保持部材１１０の可動接点部材収納部１１１内に挿入され、可動接点部材９０の押圧部９３の上部は可動接点部材収納部１１１から上方に突出する。同時に可動接点部材９０の導電層９５は所定距離離間して第１のスイッチ基板７０上に設けたスイッチ接点７３に対向し、これら導電層９５と一対のスイッチ接点７３とによって第１のスイッチＳ１が形成される（図３参照）。そしてこのときつまみ保持部材１１０の各取付突起１１７を第１のスイッチ基板７０の各取付孔７５と基板取付兼押圧板５０の各取付孔５３に挿入し、基板取付兼押圧板５０の下面側にて各取付突起１１７の先端を熱かしめする。これによってつまみ保持部材１１０と可動接点部材９０と第１のスイッチ基板７０と基板取付兼押圧板５０とが一体化される。次に底板１０の基板載置部１１上に第２のスイッチ基板３０を載置し、底板１０の取付突部１７を第２のスイッチ基板３０の取付孔３７に挿入してその先端を熱かしめする。次に前記連結部４１の部分を折り曲げることによって第２のスイッチ基板３０の上部に前記つまみ保持部材１１０等を一体化した第１のスイッチ基板７０を配置し、底板１０の取付部１５上に第１のスイッチ基板７０の取付部８１を載置する。
【００３１】
そして図７に示すように、外装ケース１５０の上面側からつまみ収納部１５１内に押圧つまみ２００を挿入し、アーム２０７に設けた係合部２０９を外装ケース１５０に設けたストッパ部１５７よりも十分低い位置まで押し込んだ状態で、この外装ケース１５０をつまみ保持部材１１０の上に被せてつまみ収納部１５１内につまみ保持部材１１０を収納していく。これによって押圧つまみ２００の一対のアーム２０７の先端がつまみ保持部材１１０の被係合部１１５を乗り越えてアーム２０７に設けた係合部２０９に被係合部１１５がスナップイン係合されるが、このときつまみ保持部材１１０の被係合部１１５に対して外装ケース１５０のストッパ部１５７が上方に移動した状態となっているので、被係合部１１５に係合部２０９をスナップイン係合させる際につまみ保持部材１１０の外周面から離れる方向に撓むアーム２０７が外装ケース１５０に設けたアーム導入スペース１６１内に導入される。従って前記スナップイン係合の作業が容易に行える。そしてさらに外装ケース１５０を下降させて外装ケース１５０の各取付突起１５３を第１のスイッチ基板７０の取付孔８３と底板１０の取付孔２１とに挿入し、底板１０の取付部１５の下面において各取付突起１５３の先端を熱かしめする。このとき、押圧つまみ２００のガイド部２０５はつまみ保持部材１１０のつまみガイド部１１３に上下動自在に挿入され、同時に押圧つまみ２００の押圧部２０３は可動接点部材９０の係止部９５に挿入される。これによって２段押圧式電子部品１の組立が完了する。このとき、外装ケース１５０のストッパ部１５７は押圧つまみ２００の係合部２０９とつまみ保持部材１１０の被係合部１１５とが係合している部分近傍のアーム２０７の背面側に接近して位置している。なお上記組立手順はその一例であり、他の各種異なる組立手順を用いて組み立てても良いことはいうまでもない。
【００３２】
そして押圧つまみ２００の上面部２０１を押圧すると、第１のスイッチ基板７０の連結部７９の部分が撓むことで、つまみ保持部材１１０と、第１のスイッチ基板７０の両開口７７の間の部分と、基板取付兼押圧板５０と、可動接点部材９０とが押圧つまみ２００とともに下降し、基板取付兼押圧板５０の押圧部５１が第２のスイッチ基板３０の第２のスイッチＳ２を押圧し、これをオンする。
【００３３】
さらに押圧つまみ２００を押圧すると、押圧つまみ２００が押圧している可動接点部材９０の薄い外周側壁が変形し、クリック感触を生じながらその押圧部９３が下降し、導電層９５が第１のスイッチ基板７０の一対のスイッチ接点７３に当接し、第１のスイッチＳ１がオンする。
【００３４】
押圧つまみ２００への押圧を解除していくと、前記と逆の動作によって、第１のスイッチＳ１，第２のスイッチＳ２がこの順番でオフしていく。
【００３５】
ところで上記押圧つまみ２００に対して図３に示す状態からこれを上方向に引き抜こうとする力を加え、前記スナップイン係合した被係合部１１５から押圧つまみ２００の係合部２０９が抜けようとした場合、アーム２０７はつまみ保持部材１１０の外周側壁から離れる方向に移動しようとするが、アーム２０７の移動は外装ケース１５０に設けたストッパ部１５７によって阻止される。従って両者の係合が外れることはない。
【００３６】
またこの種の２段押圧式電子部品１においては、押圧つまみ２００が非押圧時においてがたつかないように固定しておくため、非押圧時に押圧つまみ２００を上方向に押し上げておく力、いわゆるプリロードを印加しておく必要がある。そしてこの２段押圧式電子部品１においては、第１のスイッチ基板７０をつまみ保持部材１１０と一体化するとともに、このつまみ保持部材１１０に押圧つまみ２００を取り付け、一方第２のスイッチ基板３０を外装ケース１５０と一体化したので、押圧つまみ２００をスナップイン係合した際に非押圧時でも少し押圧つまみ２００が可動接点部材９０を押圧する寸法に設定しておくことによって生じさせたプリロードが第２のスイッチ基板３０の第２のスイッチＳ２に印加されることがなく、第２のスイッチＳ２のオンオフ動作を確実に行わせることができる。即ちもし押圧つまみ２００を従来のように外装ケース１５０に設けた被係合部にスナップイン係合させた場合、各部品の寸法誤差や組立誤差の集積によって、押圧つまみ２００を押圧していない状態の場合でも、プリロードの影響も加わって第１のスイッチ基板７０等が正規の位置から少し下降し、これによって第２のスイッチＳ２が押圧されてオンしてしまう恐れがある。これに対して上記２段押圧式電子部品１においては、底板１０を介して第２のスイッチ基板３０と一体化されている外装ケース１５０に、押圧つまみ２００は係止されておらず、押圧つまみ２００は上下動する第１のスイッチ基板７０側に係止されているので、前記プリロードが第２のスイッチＳ２に印加されることはなく、第２のスイッチＳ２のオンオフ動作を確実に行わせることができるのである。特に第２のスイッチＳ２が第１のスイッチＳ１に比べて小さい力でオンオフ動作する構造、即ち第２のスイッチＳ２が先にオンする構造の２段押圧式電子部品の場合に有効である。
【００３７】
以上説明したように２段押圧式電子部品１は、外装ケース１５０に設けたつまみ収納部１５１内に上下動自在に押圧つまみ２００を収納するとともに、押圧つまみ２００の下部にこの押圧つまみ２００によってオンオフ操作される第１のスイッチＳ１を設けた第１のスイッチ基板７０を配置し、第１のスイッチ基板７０上につまみ保持部材１１０を設置し、押圧つまみ２００から第１のスイッチ基板７０側に伸ばした弾性を有するアーム２０７に設けた係合部２０９を、つまみ保持部材１１０の外周面側に設けた被係合部１１５にスナップイン係合させることでつまみ保持部材１１０に対して押圧つまみ２００を上下動自在に保持し、外装ケース１５０のつまみ収納部１５１の内周面に、被係合部１１５から係合部２０９が離脱する方向へのアーム２０７の移動を規制するストッパ部１５７を設けて構成されており、これによって押圧つまみ２００を外装ケース１５０のつまみ収納部１５１の上面側から挿入してスナップイン係合することによって容易に押圧つまみ２００を外装ケース１５０内に装着することができ、同時に前述のように外装ケース１５０に設けたストッパ部１５７によって押圧つまみ２００の外装ケース１５０からの脱落を確実に防止している。
【００３８】
また２段押圧式電子部品１は、外装ケース１５０の内周面のストッパ部１５７の下部に、つまみ保持部材１１０の被係合部１１５に対して外装ケース１５０のストッパ部１５７を上方に移動させた状態で、被係合部１１５に係合部２０９をスナップイン係合させる際につまみ保持部材１１０の外周面から離れる方向に撓むアーム２０７を導入させるアーム導入スペース１６１を形成したので、上記構造の２段押圧式電子部品１の組み立てを容易に行うことができる。
【００３９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば本願明細書では主として２段押圧式電子部品１を例に説明したが、第２のスイッチ基板３０等を省略して１段のスイッチのみからなる押圧式電子部品であっても良い。
【００４０】
また上記例では、押圧つまみ２００のアーム２０７に穴からなる係合部２０９を設け、つまみ保持部材１１０に爪からなる被係合部１１５を設けたが、逆に、押圧つまみ２００のアーム２０７に爪（突起）からなる係合部を設け、つまみ保持部材１１０に穴からなる被係合部を設けても良い。要は係合部と被係合部とがスナップイン係合する構造であればよい。
【００４１】
また上記例では、第１のスイッチ基板７０を外装ケース１５０に対して上下動自在に設置するために可撓性を有する連結部７９を設けたが、第１のスイッチ基板７０を外装ケース１５０に対して上下動自在に設置できる構成であれば、他の各種構造を用いても良い。また上記例では、第１，第２のスイッチ基板７０，３０として可撓性を有する合成樹脂フイルムからなる基板を用いたが、硬質基板を用いて構成しても良い。
【符号の説明】
【００４２】
１  ２段押圧式電子部品（押圧式電子部品）
１０  底板（第２の基板取付部材）
３０  第２のスイッチ基板
Ｓ２  第２のスイッチ
５０  基板取付兼押圧板（第１の基板取付部材）
７０  スイッチ基板（第１のスイッチ基板）
Ｓ１  第１のスイッチ
９０  可動接点部材
１１０  つまみ保持部材
１１５  被係合部
１５０  外装ケース（ケース）
１５１  つまみ収納部
１５７  ストッパ部
１６１  アーム導入スペース
２００  押圧つまみ
２０７  アーム
２０９  係合部
【図１】
2011210403.tif 000003
【図２】
2011210403.tif 000004
【図３】
2011210403.tif 000005
【図４】
2011210403.tif 000006
【図５】
2011210403.tif 000007
【図６】
2011210403.tif 000008
【図７】
2011210403.tif 000009